(57)【要約】【課題】本発明は、ヘッド部を本体部に一体に接続した状態と、ヘッド部を本体から外してケーブルで接続した状態とのいずれでも使用でき、ヘッド部の占有容積が小さくなる撮像装置を提供する。【解決手段】撮像装置１は、ヘッド部２と光学ユニット３と本体部４とヘッド側接続端子５と本体側接続端子６とを備える。ヘッド部２は、撮像素子２０１を搭載する。本体部４は、撮像素子２０１で取得された画像情報を処理する画像処理回路４５を搭載する。ヘッド側接続端子５は、ヘッド部２の外形よりも突出して設けられる。本体側接続端子６は、本体部４の外壁に開口しヘッド側接続端子５が差し込まれる。【選択図】      図１
2010224298.tif 000002
【特許請求の範囲】
【請求項１】
撮像素子を搭載するヘッド部と、
前記撮像素子に被写体像を投影する光学ユニットと、
前記ヘッド部側から出力される画像情報を処理する画像処理回路を搭載する本体部と、
前記ヘッド部の外形よりも突出して設けられて前記画像情報を出力するヘッド側接続端子と、
前記本体部の外壁に開口し前記ヘッド側接続端子が差し込まれる本体側接続端子と、
を備えることを特徴とする撮像装置。
【請求項２】
請求項１に記載の撮像装置は、
前記ヘッド側接続端子が前記本体側接続端子に差し込まれた状態で前記ヘッド部を前記本体部に固定する固定金具をさらに備えることを特徴とする。
【請求項３】
請求項２に記載の撮像装置において、
前記ヘッド部は、前記ヘッド側接続端子が前記本体側接続端子に差し込まれた状態で、前記本体部と対向しない範囲の外壁に設けられてヘッド設置場所に単独で固定されるために用意されたヘッド固定用ネジ穴を有し、
前記本体部は、前記ヘッド側接続端子が前記本体側接続端子に差し込まれた状態で、前記ヘッド固定用ネジ穴が開口する側と同じ側の側面に設けられて本体設置場所に単独で固定されるために用意された本体固定用ネジ穴を有し、
前記固定金具は、前記ヘッド固定用ネジ穴および前記本体固定用ネジ穴を利用して取り付けられる
ことを特徴とする。
【請求項４】
請求項２に記載の撮像装置において、
前記ヘッド部は、前記ヘッド側接続端子が前記本体側接続端子に差し込まれた状態で、前記本体部と対向しない範囲の外壁に設けられてヘッド設置場所に単独で固定されるために用意されたヘッド固定用ネジ穴を有し、
前記本体部は、前記ヘッド側接続端子が前記本体側接続端子に差し込まれた状態で、前記ヘッド固定用ネジ穴が開口する側と同じ側の側面に設けられて本体設置場所に単独で固定されるために用意された三脚マウント取付用ネジ穴を有し、
前記固定金具は、前記ヘッド固定用ネジ穴および前記三脚マウント取付用ネジ穴を利用して取り付けられる
ことを特徴とする。
【請求項５】
請求項２に記載の撮像装置において、
前記固定金具は、三脚マウントを備えていることを特徴とする。
【請求項６】
請求項１に記載の撮像装置において、
前記ヘッド側接続端子は、前記被写体から前記光学ユニットへ入射される光軸と交差する少なくとも１方向へ前記ヘッド部の外壁から突出していることを特徴とする。
【請求項７】
請求項１に記載の撮像装置において、
前記ヘッド部と前記本体部とは、前記ヘッド側接続端子と前記本体側接続端子との間にケーブルを介して接続されることを特徴とする。
【請求項８】
請求項１に記載の撮像装置において、
前記ヘッド側接続端子は、オス型端子であり、
前記本体側接続端子は、前記オス型端子に対応するメス型端子である
ことを特徴とする。
【請求項９】
請求項１に記載の撮像装置において、
前記ヘッド側接続端子が前記本体側接続端子に差し込まれた状態で、前記ヘッド部の外壁と前記本体部の外壁とが当接することを特徴とする。
【発明の詳細な説明】
【技術分野】
【０００１】
本発明は、撮像素子を搭載するヘッド部と、撮像制御部などを搭載する本体部とが分かれて構成されている撮像装置に関する。
【背景技術】
【０００２】
工場の生産ラインの監視などを目的に定点カメラとして設置される撮像装置の場合、解像度の高い画像の取得が要求される。高解像度の画像を取得できる撮像装置は、外形形状が嵩高く、撮像装置を設置できる場所が限られることが多い。設置スペースが十分にある場合、ヘッド部と本体部とが一体に構成された撮像装置を採用することができる。設置スペースが十分に確保できない場合、ヘッド部とカメラ本体部とが分かれて構成された撮像装置を採用することになる。
【０００３】
しかし、ヘッド部とカメラ本体部とを一体に設けた撮像装置と、ヘッド部とカメラ本体部とを分離した撮像装置との２種類の撮像装置を同時に開発し生産することは、不経済である。したがって、ヘッド部と本体部とを一体にした状態と分離させた状態の二通りに使用できる撮像装置が求められる。
【０００４】
カメラ本体部に対してレンズ部を自由に取り外しできるように構成されたカメラシステムが、特許文献１に記載されている。カメラ本体部は、ＣＰＵとプログラムメモリと画像メモリとコネクタなどを備えている。レンズ部は、ＣＣＤ駆動部とＣＣＤ撮像センサとシャッタと撮像レンズとコネクタとを備えている。カメラ本体部とレンズ部とは、それぞれの側部に設けられたコネクタどうしを接合することによって連結される。
【０００５】
また、カメラ本体部と撮像部とを分けて構成されたデジタルカメラが特許文献２に記載されている。カメラ本体部は、接続端子が設けられた接続板と画像メモリと表示部とを備え、撮像部は、撮像レンズとＣＣＤと装着部とを有している。このデジタルカメラは、カメラ本体の接続板に撮像部の装着部を直接接続して使用できるとともに、カメラ本体の接続板に撮像部の装着部を専用の接続ケーブルで接続して使用できる。
【先行技術文献】
【特許文献】
【０００６】
【特許文献１】特許第３７５０４２５号明細書
【特許文献２】特開平１０−７９９０７号公報
【発明の概要】
【発明が解決しようとする課題】
【０００７】
しかしながら、特許文献１に記載されているカメラシステムの場合、レンズ部を撮影条件に合わせて交換するように構成されており、レンズ部をカメラ本体部と分離させた状態で使用するように作られていない。そして、レンズ部がいわゆる純正品であるかを識別することを目的としているため、レンズ部とカメラ本体部との具体的な接続構造が示されていない。
【０００８】
特許文献２に記載されているデジタルカメラの場合、撮像部とカメラ本体部とは、互いの接合部の形状と同じ形状の接続部がそれぞれ端部に形成された専用の接続ケーブルでしか接続することができない。そして、ケーブル接続することによる画像の劣化を防止することを目的としているため、接続端子の構造まで十分に検討されていない。
【０００９】
ヘッド部を本体部から離して使用する場合、本体部も一緒に配置するスペースが十分に確保できないからである。したがって、ヘッド部と本体部とを分離できる構造とする場合、大きさの制限を受けないようにするため、ヘッド部は小さいほうが良い。
【００１０】
そこで、本発明は、ヘッド部を本体部に一体に接続した状態と、ヘッド部を本体から外してケーブルで接続した状態とのいずれでも使用でき、ヘッド部の占有容積が小さい撮像装置を提供する。
【課題を解決するための手段】
【００１１】
本発明の一形態の撮像装置は、ヘッド部と光学ユニットと本体部とヘッド側接続端子と本体側接続端子とを備える。ヘッド部は、撮像素子を搭載する。光学ユニットは、撮像素子に被写体像を投影する。本体部は、撮像素子で取得された画像情報を処理する画像処理回路を搭載する。ヘッド側接続端子は、ヘッド部の外形よりも突出して設けられて、画像情報を出力する。本体側接続端子は、本体部の外壁に開口しヘッド側接続端子が差し込まれる。
【発明の効果】
【００１２】
本発明の撮像装置によれば、ヘッド部を本体部に一体に接続した状態と、ヘッド部を本体から外してケーブルで接続した状態とのいずれでも使用できる。また、この撮像装置は、ヘッド側接続端子がヘッド部の外形よりも突出して設けられているので、ヘッド部の占有容積を小さくすることができる。
【図面の簡単な説明】
【００１３】
【図１】本発明の第１の実施形態の撮像装置の断面図。
【図２】図１に示したヘッド部の断面図。
【図３】図１に示した撮像装置から連結金具を外した分解斜視図。
【図４】図１に示した撮像装置のヘッド部と本体とをケーブルで接続する状態の分解斜視図。
【図５】本発明の第２の実施形態の撮像装置の分解斜視図。
【図６】本発明の第３の実施形態の撮像装置の斜視図。
【図７】本発明の第４の実施形態の撮像装置のヘッド部をレンズ側から見た正面図。
【図８】図７に示したヘッド部の接続端子の一つを使って本体と接続された状態を示す斜視図。
【発明を実施するための形態】
【００１４】
本発明の第１の実施形態の撮像装置１は、図１から図４を参照して説明する。図１に示す撮像装置１は、ヘッド部２と光学ユニット３と本体部４とヘッド側接続端子５と本体側接続端子６とを備えている。ヘッド部２は、図２に示すように、外殻を形成するハウジング２１およびカバー２２を有し、撮像素子２０１を搭載している。ハウジング２１は、剛性の高い例えばアルミニウム合金のキャスト部材で作られる。アルミニウム合金のほか、マグネシウム合金や亜鉛合金などでも良い。
【００１５】
撮像素子２０１は、ＣＭＯＳイメージセンサあるいはＣＣＤイメージセンサである。撮像素子２０１は、センサ基板２０２に実装された状態で、支持フレーム２０３に固定されている。撮像素子２０１、センサ基板２０２、支持フレーム２０３で構成されるセンサモジュール２０は、ハウジング２１のモジュール支持部２１１に固定される。ハウジング２１は、レンズマウント２１２と受光窓２１３とをさらに備える。
【００１６】
レンズマウント２１２は、光学ユニット３の基部に設けられる雄ネジに適合する雌ネジを内周に有し、光学ユニット３の光軸が撮像素子２０１の受光面に対して垂直になるように光学ユニット３を保持する。光学ユニット３は、複数枚のレンズで構成されるレンズ群を内蔵し、被写体像を撮像素子２０１に投影する。受光窓２１３は、光学ユニット３と撮像素子２０１との間に開口し、撮像素子２０１の受光面の形状に合わせて被写体の像が形成されるように余分な光を遮るアパーチャーの役目を果たす。受光窓２１３に嵌め込まれたフィルタガラス２３は、パッキン２４と保護ガラス２５を介してセンサモジュール２０で抑えられている。
【００１７】
センサ基板２０２は、フレキシブル配線２６を介して信号処理回路２７に接続される。ヘッド側接続端子５は、信号処理回路２７の出力側に接続されている。信号処理回路２７は、撮像素子２０１によって取得された信号を画像情報に変換しヘッド側接続端子５から出力する。カバー２２は、センサモジュール２０、信号処理回路２７、およびヘッド側接続端子５の基部を覆って、ハウジング２１と組み合わされている。ヘッド側接続端子５は、本体側接続端子６に差し込まれる部分がカバー２２から突出している。
【００１８】
本体部４は、図１および図３に示すようにその外形を構成するベースパネル４１とフロントブロック４２とリアブロック４３とカバーパネル４４とを有している。フロントブロック４２およびリアブロック４３は、ベースパネル４１の両端に連結されている。この本体部４は、図２に示すように、ヘッド部２側から出力される画像情報を処理する画像処理回路４５を搭載している。画像処理回路４５は、フロントブロック４２からリアブロック４３までの間に装着された複数枚のプリント配線板４６に形成される。
【００１９】
フロントブロック４２の外壁には、ヘッド側接続端子５が差し込まれる本体側接続端子６が開口している。本体側接続端子６は、プリント配線板４６に接続されている。撮像素子２０１で取得された被写体像の信号は、信号処理回路２７で画像情報に変換されたあと、ヘッド側接続端子５および本体側接続端子６を介して画像処理回路４５へ送られる。画像処理回路４５で映像化された被写体の信号は、映像信号としてリアブロック４３の外壁よりも突出する出力端子４８を介して出力される。カバーパネル４４は、プリント配線板４６を覆って、フロントブロック４２とリアブロック４３との間に取り付けられる。
【００２０】
図１および図２に示すように、ヘッド側接続端子５を本体側接続端子６に直接差し込んで接続し、ヘッド部２と本体部４とが一体になった合体状態Ｐ１において、ヘッド部２のカバー２２の外壁は、本体部４のフロントブロック４２の外壁に当接する。ヘッド部２と本体部４との接合強度を確保するために、本実施形態では、ヘッド部２と本体部４とを連結する固定金具７をさらに備えている。
【００２１】
固定金具７は、ヘッド固定用ネジ穴２１４および本体固定用ネジ穴４２１を利用して取り付けられている。ヘッド固定用ネジ穴２１４は、ヘッド側接続端子５が本体側接続端子６に差し込まれた状態で本体部４と対向しない範囲のハウジング２１の外壁に設けられている。このヘッド固定用ネジ穴２１４は、ヘッド部２を単独でヘッド設置場所に固定するために用意されている。本実施形態では、ヘッド部２は、三脚に固定するためのマウントホール２１５をハウジング２１に備えている。ここでヘッド設置場所とは、図４に示すように、ヘッド部２を本体部４と離した分離状態Ｐ２にして、ヘッド部２を被写体に対して好ましい位置に配置固定する地点を言う。
【００２２】
本体固定用ネジ穴４２１は、ヘッド側接続端子５が本体側接続端子６に差し込まれた状態でヘッド固定用ネジ穴２１４が開口する側と同じ側のフロントブロック４２の側面（底面）に設けられている。この本体固定用ネジ穴４２１は、本体部４を単独で本体設置場所に固定するために、ベースパネル４１に設けられる本体固定用ネジ穴４１１とともに用意されている。ここで、本体設置場所とは、図４に示すように、本体部４をヘッド部２と離した分離状態Ｐ２にして、本体部４を固定する地点を言う。
【００２３】
以上のように構成されている撮像装置１は、図１および図３に示すように、ヘッド側接続端子５を本体側接続端子６に差し込んでヘッド部２と本体部４とが一体になった合体状態Ｐ１と、図４に示すように、ヘッド側接続端子５と本体側接続端子６との間をケーブル８を介して接続しヘッド部２と本体部４とを分けて配置した分離状態Ｐ２の２つの状態で利用することができる。
【００２４】
また、ヘッド部２に設けられるヘッド側接続端子５は、図１，図２，図４に示すように、ヘッド部２の外形よりも突出したオス型の端子であり、本体部４にも受けられる本体側接続端子６は、図１、図４に示すように、本体部４の外形よりも凹んだメス型の端子である。ヘッド部２に設けられるヘッド側接続端子５をオス型にしているため、ヘッド部２のヘッド側接続端子５を除く外形形状がコンパクトに納まる。
【００２５】
したがって、光学ユニットから本体部まで一体に作られた撮像装置を設置できる十分なスペースが無い場合でも、ヘッド部２を本体部４から分離させ、ヘッド部２を被写体の撮影に適した位置に配置しやすい。そして、ヘッド側接続端子５を突出させヘッド部２を少しでも小さくしたことで、ヘッド部２を設置できる範囲が広がる。また、本体部４の本体側接続端子６をメス型の端子にしているので、ヘッド部２を本体部４に直接接続することができる。つまりこの撮像装置１は、合体状態Ｐ１にすることで、一体型の撮像装置と変わりなく使用することができる。また、図１および図３に示すように、合体状態Ｐ１において、ヘッド部２は、本体部４に当接するので、がたつくことなく安定している。
【００２６】
分離状態Ｐ２において、図４に示すように、ヘッド側接続端子５から本体側接続端子６までの間をつなぐケーブル８は、一方がメス型端子８１で他方がオス型端子８２のケーブルを採用する。両端がメス型端子８１のケーブル８Ａを利用する場合は、本体側接続端子６との間に形状を変換するアダプタ８３を装着すればよい。
【００２７】
本発明の第２の実施形態の撮像装置１は、図５を参照して説明する。この撮像装置１は、第１の実施形態の撮像装置１と比較して、固定金具７を本体部４に固定する位置が異なっており、これに応じて固定金具７の形状も少し異なっている。この固定金具７は、ヘッド部２と本体部４とを連結するために、ヘッド固定用ネジ穴２１４および三脚マウント取付用ネジ穴４１２を利用して固定される。
【００２８】
三脚マウント取付用ネジ穴４１２は、ヘッド側接続端子５が本体側接続端子６に差し込まれた合体状態Ｐ１で、ヘッド固定用ネジ穴２１４が開口する側と同じ側の本体部４の側面となるベースパネル４１の底面に設けられている。この三脚マウント取付用ネジ穴４１２は、本体部４を本体設置場所に単独で配置する際、三脚に乗せるべく、三脚マウントを取り付けるために用意されている。
【００２９】
また、この固定金具７は、本体固定用ネジ穴４２１に被さる部分が切り欠かれている。したがって、図５に示す固定金具７で補強された合体状態Ｐ１の撮像装置１を、設置したい場所に固定する場合、本体固定用ネジ穴４２１を利用して固定することができる。
【００３０】
このほかの撮像装置１の構成は、第１の実施形態の撮像装置１と同じであるので、ここでの説明を省略する。
【００３１】
本発明の第３の実施形態の撮像装置１は、図６を参照して説明する。この撮像装置１は、第２の実施形態の撮像装置１と比較して、固定金具７に三脚マウント７１を有している点が異なっており、その他の構成は、第１の実施形態および第２の実施形態の撮像装置１と同じである。同じ部位には同一の符号を付してここでの説明は省略する。
【００３２】
この撮像装置１は、固定金具７に三脚マウント７１を有しているので、図６に示す合体状態Ｐ１の撮像装置１を所望の場所に設置する場合、三脚に固定することもできるし、別途用意されるブラケットに本体固定用ネジ穴４２１を利用して固定することもできる。また、三脚に対する固定構造と同じ連結構造で固定することができるので、設置場所に対して固定したり取り外したりすることが容易に行える。
【００３３】
本発明の第４の実施形態の撮像装置１は、図７および図８を参照して説明する。この撮像装置１は、ヘッド部２が第１から第３の実施形態のヘッド部２と異なっている。このヘッド部２は、ヘッド側接続端子５が被写体から光学ユニット３へ入射される光束の光軸と交差する少なくとも１方向へ、ヘッド部２の外壁から突出するように設けられている。
【００３４】
具体的には、第１の実施形態の撮像装置１のヘッド部２に設けられたヘッド側接続端子５に加えて、図７に示すように光学ユニット３の光軸に対して直角な４方向へ、１つずつヘッド側接続端子５１，５２，５３，５４が設けられている。つまり、直方体形状のヘッド部２は、レンズマウント２１２が設けられている以外の壁面に各々ヘッド側接続端子５，５１，５２，５３，５４を設けている。
【００３５】
図８に示す撮像装置１は、本体部４のベースパネル４１を底部とした場合、光学ユニット３を本体部４に対して横に向けた状態で、対応するヘッド側接続端子５２を本体部４の本体側接続端子６に差し込み、ヘッド部２と本体部４とを接続している。ヘッド側接続端子５２以外の残りのヘッド側接続端子５，５１，５３，５４は、ノイズなどを拾わないように磁気遮蔽できるキャップが取り付けられる。
【００３６】
以上のように構成された撮像装置１は、光学ユニット３の光軸に沿う方向へ直列にヘッド部２と本体部４とが接続された合体状態Ｐ１では、所望する設置場所に撮像装置１を設置できない場合でも、ヘッド側接続端子５と異なる方向に向けて設けられたヘッド側接続端子５１，５２，５３，５４のどれかを使って接続することで、ヘッド部２と本体部４とを接続した合体状態Ｐ１で設置することができる。また、ケーブル８を使って分離状態Ｐ２にして接続する場合でも、ケーブル８のメス型端子８１を接続しやすいヘッド側接続端子５１，５２，５３，５４を選択して接続すればよい。
【００３７】
なお、全てのヘッド側接続端子５，５１，５２，５３，５４を一つのヘッド部２に設けるのではなく、個別にヘッド側接続端子５，５１，５２，５３，５４を設けた５種類のヘッド部２を用意し、使用環境に応じて適宜選択できるようにしても良い。
【００３８】
また、第１の実施形態の撮像装置１から第４の実施形態の撮像装置１まで、いずれの撮像装置１も光学ユニット３をヘッド部２から簡単に取り外すことができる。したがって、使用環境に応じて最適な光学ユニット３に取り替えることも容易に行える。
【符号の説明】
【００３９】
１…撮像装置、２…ヘッド部、３…光学ユニット、４…本体部、５，５１，５２，５３，５４…ヘッド側接続端子、６…本体側接続端子、７…固定金具、８，８Ａ…ケーブル、４５…画像処理回路、７１…三脚マウント、２０１…撮像素子、２１４…ヘッド固定用ネジ穴、４１１…本体固定用ネジ穴、４１２…三脚マウント取付用ネジ穴。
【図１】
2010224298.tif 000003
【図２】
2010224298.tif 000004
【図３】
2010224298.tif 000005
【図４】
2010224298.tif 000006
【図５】
2010224298.tif 000007
【図６】
2010224298.tif 000008
【図７】
2010224298.tif 000009
【図８】
2010224298.tif 000010
【手続補正書】
【提出日】平成22年2月15日(2010.2.15)
【手続補正１】
【補正対象書類名】特許請求の範囲
【補正対象項目名】全文
【補正方法】変更
【補正の内容】
【特許請求の範囲】
【請求項１】
被写体を撮影する撮像素子を搭載するヘッド部と、
前記ヘッド部側から出力される画像情報を処理する画像処理回路を搭載する本体部と、
前記ヘッド部の外形よりも１方向に突出して設けられて前記画像情報を出力するヘッド側接続端子と、
前記本体部の外壁に開口し前記本体部の外形よりも凹んで形成され前記ヘッド側接続端子が差し込まれる本体側接続端子と、
を備えることを特徴とする撮像装置。
【請求項２】
前記撮像装置は、
前記ヘッド側接続端子が前記本体側接続端子に差し込まれた状態で前記ヘッド部を前記本体部に固定する固定金具をさらに備えることを特徴とする請求項１に記載の撮像装置。
【請求項３】
前記ヘッド部は、前記ヘッド側接続端子が前記本体側接続端子に差し込まれた状態で、前記本体部と対向しない範囲の外壁に設けられてヘッド設置場所に単独で固定されるために用意されたヘッド固定用ネジ穴を有し、
前記本体部は、前記ヘッド側接続端子が前記本体側接続端子に差し込まれた状態で、前記ヘッド固定用ネジ穴が開口する側と同じ側の側面に設けられて本体設置場所に単独で固定されるために用意された本体固定用ネジ穴を有し、
前記固定金具は、前記ヘッド固定用ネジ穴および前記本体固定用ネジ穴を利用して取り付けられる
ことを特徴とする請求項２に記載の撮像装置。
【請求項４】
前記ヘッド部は、前記ヘッド側接続端子が前記本体側接続端子に差し込まれた状態で、前記本体部と対向しない範囲の外壁に設けられてヘッド設置場所に単独で固定されるために用意されたヘッド固定用ネジ穴を有し、
前記本体部は、前記ヘッド側接続端子が前記本体側接続端子に差し込まれた状態で、前記ヘッド固定用ネジ穴が開口する側と同じ側の側面に設けられて本体設置場所に単独で固定されるために用意された三脚マウント取付用ネジ穴を有し、
前記固定金具は、前記ヘッド固定用ネジ穴および前記三脚マウント取付用ネジ穴を利用して取り付けられる
ことを特徴とする請求項２に記載の撮像装置。
【請求項５】
前記固定金具は、三脚マウントを備えていることを特徴とする請求項２に記載の撮像装置。
【請求項６】
前記ヘッド部と前記本体部とは、前記ヘッド側接続端子と前記本体側接続端子との間にケーブルを介して接続されることを特徴とする請求項１に記載の撮像装置。
【請求項７】
前記ヘッド側接続端子は、オス型端子であり、
前記本体側接続端子は、前記オス型端子に対応するメス型端子である
ことを特徴とする請求項１に記載の撮像装置。
【請求項８】
前記ヘッド側接続端子が前記本体側接続端子に差し込まれた状態で、前記ヘッド部の外壁と前記本体部の外壁とが当接することを特徴とする請求項１に記載の撮像装置。
【手続補正２】
【補正対象書類名】明細書
【補正対象項目名】００１１
【補正方法】変更
【補正の内容】
【００１１】
本発明の一形態の撮像装置は、ヘッド部と本体部とヘッド側接続端子と本体側接続端子とを備える。ヘッド部は、被写体を撮影する撮像素子を搭載する。本体部は、ヘッド部側から出力される画像情報を処理する画像処理回路を搭載する。ヘッド側接続端子は、ヘッド部の外形よりも１方向に突出して設けられて、画像情報を出力する。本体側接続端子は、本体部の外壁に開口し本体部の外形よりも凹んで形成されヘッド側接続端子が差し込まれる。
【手続補正３】
【補正対象書類名】明細書
【補正対象項目名】００１５
【補正方法】変更
【補正の内容】
【００１５】
撮像素子２０１は、ＣＭＯＳイメージセンサあるいはＣＣＤイメージセンサである。撮像素子２０１は、センサ基板２０２に実装された状態で、支持フレーム２０３に固定されている。撮像素子２０１、センサ基板２０２、およびと保護ガラス２５で構成されるセンサモジュール２０は、ハウジング２１のモジュール支持部２１１に支持フレーム２０３を介して固定される。ハウジング２１は、レンズマウント２１２と受光窓２１３とをさらに備える。
【手続補正４】
【補正対象書類名】明細書
【補正対象項目名】００１６
【補正方法】変更
【補正の内容】
【００１６】
レンズマウント２１２は、光学ユニット３の基部に設けられる雄ネジに適合する雌ネジを内周に有し、光学ユニット３の光軸が撮像素子２０１の受光面に対して垂直になるように光学ユニット３を保持する。光学ユニット３は、複数枚のレンズで構成されるレンズ群を内蔵し、被写体像を撮像素子２０１に投影する。受光窓２１３は、光学ユニット３と撮像素子２０１との間に開口し、撮像素子２０１の受光面の形状に合わせて被写体の像が形成されるように余分な光を遮るアパーチャーの役目を果たす。受光窓２１３に嵌め込まれたフィルタガラス２３は、パッキン２４を介してセンサモジュール２０で抑えられている。
【手続補正５】
【補正対象書類名】明細書
【補正対象項目名】００１８
【補正方法】変更
【補正の内容】
【００１８】
本体部４は、図１および図３に示すようにその外形を構成するベースパネル４１とフロントブロック４２とリアブロック４３とカバーパネル４４とを有している。フロントブロック４２およびリアブロック４３は、ベースパネル４１の両端に連結されている。この本体部４は、図１に示すように、ヘッド部２側から出力される画像情報を処理する画像処理回路４５を搭載している。画像処理回路４５は、フロントブロック４２からリアブロック４３までの間に装着された複数枚のプリント配線板４６に形成される。
【手続補正６】
【補正対象書類名】明細書
【補正対象項目名】００２４
【補正方法】変更
【補正の内容】
【００２４】
また、ヘッド部２に設けられるヘッド側接続端子５は、図１，図２，図４に示すように、ヘッド部２の外形よりも突出したオス型の端子であり、本体部４に設けられる本体側接続端子６は、図１、図４に示すように、本体部４の外形よりも凹んだメス型の端子である。ヘッド部２に設けられるヘッド側接続端子５をオス型にしているため、ヘッド部２のヘッド側接続端子５を除く外形形状がコンパクトに納まる。
【手続補正７】
【補正対象書類名】図面
【補正対象項目名】図１
【補正方法】変更
【補正の内容】
【図１】
2010224298.tif 000011
【手続補正８】
【補正対象書類名】図面
【補正対象項目名】図２
【補正方法】変更
【補正の内容】
【図２】
2010224298.tif 000012
【手続補正書】
【提出日】平成22年5月7日(2010.5.7)
【手続補正１】
【補正対象書類名】明細書
【補正対象項目名】００１１
【補正方法】変更
【補正の内容】
【００１１】
本発明の一形態の撮像装置は、ヘッド部と本体部とヘッド側接続端子と本体側接続端子とを備える。ヘッド部は、被写体を撮影する撮像素子を搭載する。本体部は、ヘッド部側から出力される画像情報を処理する画像処理回路を搭載する。ヘッド側接続端子は、ヘッド部の外形よりも１方向に突出して設けられて、画像情報を出力する。本体側接続端子は、本体部の外壁に開口し本体部の外形よりも凹んで形成されヘッド側接続端子が差し込まれる。そして、ヘッド部と本体部とは、ヘッド側接続端子と本体側接続端子との間にケーブルを介して接続され、ヘッド側接続端子に接続される側のケーブルの端子が本体側接続端子と同形状であり、本体側接続端子に接続される側のケーブルの端子がヘッド側接続端子と同形状である。
【手続補正２】
【補正対象書類名】特許請求の範囲
【補正対象項目名】全文
【補正方法】変更
【補正の内容】
【特許請求の範囲】
【請求項１】
被写体を撮影する撮像素子を搭載するヘッド部と、
前記ヘッド部側から出力される画像情報を処理する画像処理回路を搭載する本体部と、
前記ヘッド部の外形よりも１方向に突出して設けられて前記画像情報を出力するヘッド側接続端子と、
前記本体部の外壁に開口し前記本体部の外形よりも凹んで形成され前記ヘッド側接続端子が差し込まれる本体側接続端子と、
を備え
前記ヘッド部と前記本体部とは、前記ヘッド側接続端子と前記本体側接続端子との間にケーブルを介して接続され、前記ヘッド側接続端子に接続される側の前記ケーブルの端子が前記本体側接続端子と同形状であり、前記本体側接続端子に接続される側の前記ケーブルの端子が前記ヘッド側接続端子と同形状であることを特徴とする撮像装置。
【請求項２】
前記撮像装置は、
前記ヘッド側接続端子が前記本体側接続端子に差し込まれた状態で前記ヘッド部を前記本体部に固定する固定金具をさらに備えることを特徴とする請求項１に記載の撮像装置。
【請求項３】
前記ヘッド部は、前記ヘッド側接続端子が前記本体側接続端子に差し込まれた状態で、前記本体部と対向しない範囲の外壁に設けられてヘッド設置場所に単独で固定されるために用意されたヘッド固定用ネジ穴を有し、
前記本体部は、前記ヘッド側接続端子が前記本体側接続端子に差し込まれた状態で、前記ヘッド固定用ネジ穴が開口する側と同じ側の側面に設けられて本体設置場所に単独で固定されるために用意された本体固定用ネジ穴を有し、
前記固定金具は、前記ヘッド固定用ネジ穴および前記本体固定用ネジ穴を利用して取り付けられる
ことを特徴とする請求項２に記載の撮像装置。
【請求項４】
前記ヘッド部は、前記ヘッド側接続端子が前記本体側接続端子に差し込まれた状態で、前記本体部と対向しない範囲の外壁に設けられてヘッド設置場所に単独で固定されるために用意されたヘッド固定用ネジ穴を有し、
前記本体部は、前記ヘッド側接続端子が前記本体側接続端子に差し込まれた状態で、前記ヘッド固定用ネジ穴が開口する側と同じ側の側面に設けられて本体設置場所に単独で固定されるために用意された三脚マウント取付用ネジ穴を有し、
前記固定金具は、前記ヘッド固定用ネジ穴および前記三脚マウント取付用ネジ穴を利用して取り付けられる
ことを特徴とする請求項２に記載の撮像装置。
【請求項５】
前記固定金具は、三脚マウントを備えていることを特徴とする請求項２に記載の撮像装置。
【請求項６】
前記ヘッド側接続端子は、オス型端子であり、
前記本体側接続端子は、前記オス型端子に対応するメス型端子である
ことを特徴とする請求項１に記載の撮像装置。
【請求項７】
前記ヘッド側接続端子が前記本体側接続端子に差し込まれた状態で、前記ヘッド部の外壁と前記本体部の外壁とが当接する
ことを特徴とする請求項１に記載の撮像装置。